(57)【要約】  【課題】  吹出し風路各コーナー部から吹出した風は四方向に設けられた開口部目掛け吹き込むことにより通風抵抗が増大し、風量の低下および騒音の上昇につながる。すなわち、風量性能の低下と騒音の上昇という問題点を有している。  【解決手段】本実施例の吹出し端風路内ダクト７は各コーナー部の吹出し流を吹出し口へ抵抗とならずに吹出す構成となっている。すなわち、吹出し口の通風抵抗増大が殆どなく風量性能が向上する。また、これによる騒音低減の効果を得る。  【選択図】図３
2005249237.tif 000002
【特許請求の範囲】
【請求項１】
送風機と、
この送風機の周囲に沿って配置された熱交換器と、
前記熱交換器よりも下方に設けられた平面視で矩形状のドレン皿と、
前記ドレン皿よりも上側における熱交換器よりも外側の位置において前記矩形の四辺に沿って形成された、熱交換後の空気のための通気路と、
前記通気路に連通するように、前記ドレン皿における熱交換器よりも外側の位置の矩形の四辺に沿って、前記矩形におけるコーナー部を除いて設けられた、熱交換後の空気のための吹出し口と、
前記通気路における前記矩形のコーナー部に対応した部分を塞ぐ塞ぎ部材と、
前記塞ぎ部材を貫通した状態で設けられて、前記通気路における塞ぎ板で塞がれたコーナーの部分から前記吹出し口への通風路を形成するためのダクトと、
を具備することを特徴とする空気調和機の室内ユニット。
【請求項２】
ダクトは、塞ぎ部材における上部かつ熱交換器から距離をおいた外側の位置に設けられていることを特徴とする請求項１記載の空気調和機の室内ユニット。
【請求項３】
ダクトは、吹出し口よりも上側の位置へ向かう通風路を形成可能な横向きの開口と、下向きの分流用開口とを有することを特徴とする請求項１または２記載の空気調和機の室内ユニット。
【請求項４】
ダクトと塞ぎ部材との接続部が曲面によって形成されていることを特徴とする請求項１から３までのいずれか１項記載の空気調和機の室内ユニット。
【請求項５】
ダクトは、吹出し口へ向かう熱交換後の空気のための通気路の内部に突出して設けられるとともに、その突出部の断面形状が三角形状に形成され、かつ前記三角形の一辺が、前記吹出し口へ向かう熱交換後の空気の流れを案内する方向に形成されていることを特徴とする請求項２記載の空気調和機の室内ユニット。
【請求項６】
三角形の一辺が、吹出し口へ向かう熱交換後の空気の流れを案内する曲線を描くように、ダクトの壁部が曲面で形成されていることを特徴とする請求項５記載の空気調和機の室内ユニット。
【請求項７】
ダクトは長さの異なる複数の小通路に区画されていることを特徴とする請求項１から６までのいずれか１項記載の空気調和機の室内ユニット。
【請求項８】
下向きの分流用開口は、ダクトの壁部に貫通状態で形成されたスリットにて構成されていることを特徴とする請求項３記載の空気調和機の室内ユニット。
【発明の詳細な説明】
【技術分野】
【０００１】
本発明は住宅などの空調に用いる空気調和機の室内ユニットに関する。
【背景技術】
【０００２】
このような空気調和機の室内ユニットとして、特許文献１に記載されたものが知られている。すなわち、図１１は、天井取付け型のこの種の室内ユニットを示すが、この室内ユニットは、下面側が開口する筺体１と、この筺体１内のほぼ中央部に配置される送風機２とを有する。筐体１は、概略は平面視で矩形状に形成されるとともに、詳細にはその四隅が斜め方向に形成された八角形状に形成されている。
【０００３】
また図示の室内ユニットは、筐体１の内周面に沿って配置される断熱材３と、この断熱材３よりも内周側における送風機２の周囲に沿って平面視で矩形状になるように配置される熱交換器４と、この熱交換器３よりも下方の部位に設けられるドレン皿５とを有する。ドレン皿５は、筐体１に対応して平面視で概略矩形状かつ詳細には八角形状に形成されている。ドレン皿５の中央部には、送風機２よりも下方の部位において、この送風機２のための吸込み口６が形成されている。ドレン皿５において、吸込み口６の周囲には、送風機２から送り出されかつ熱交換器４を通過した後の空気流のための吹出し口７が形成されている。この吹出し口７は、ドレン皿５の概略矩形状の四辺に沿った４箇所においてそれぞれ直線状に開口している。しかし、ドレン皿５の四隅の斜め方向に形成された部分では開口していない。図１２に示すように、ドレン皿５の内部には、吹出し口７を形成するためのダクト８が形成されている。このダクト８は、ドレン皿５の内部において開口縁９を有する。
【０００４】
１０はベルマウスで、ドレン皿５の吸込み口６と送風機２の吸入側とを結ぶように配置されるとともに、そのように配置されることで、熱交換器４の空気吸込み側通路と空気吹出し側通路とを区画するように構成されている。すなわち、ベルマウス１０の内側に空気吸込み側通路が形成され、かつその外側に空気吹出し側通路が形成される。
【０００５】
このような構成において、送風機２を運転すると、室内の空気が吸込み口６からベルマウス８を通ってこの送風機２に吸込まれるとともに、送風機２から吐出された空気は、熱交換器４を通ることにより熱交換されたうえで、ベルマウス８の外側における空気吹出し側通路を通って、吹出し口７から室内に吹出される。
【特許文献１】特開平１０−１９３７０号公報
【０００６】
ところが、送風機２からの空気はこの送風機２の周囲にほぼ一様に吐出されるが、上記のようにドレン皿５の四隅の斜め方向に形成された部分では吹出し口７が形成されていない。このため、図１２に示すように、送風機２からドレン皿５の四隅に吐出された空気１１は、ダクト８および吹出し口７の端部に向かって吹き込むように流れる。図１２において、１２は、四隅以外の矩形の四辺に向けて吐出された空気であるが、図示のように四隅からの空気１１の吹き込みによって特にダクト８の端部における開口縁９の近傍の部分で空気１２に乱れが生じる。これにより、局所的に空気流に乱れが生じて風量が低下したり、あるいは通風抵抗が増大したり、局所的な空気流の乱れや風速の増大を原因とする騒音が発生したりする。
【発明の開示】
【発明が解決しようとする課題】
【０００７】
そこで本発明は、上記従来の問題点を解決するもので、吹出し風路において室内ユニットのコーナー部からの吹き込み流による騒音の増加や風量性能の低下を防止した空気調和機の室内ユニットを提供することを目的とする。
【課題を解決するための手段】
【０００８】
この目的を達成するために本発明の空気調和機の室内ユニットは、送風機と、この送風機の周囲に沿って配置された熱交換器と、前記熱交換器よりも下方に設けられた平面視で矩形状のドレン皿と、前記ドレン皿よりも上側における熱交換器よりも外側の位置において前記矩形の四辺に沿って形成された、熱交換後の空気のための通気路と、前記通気路に連通するように、前記ドレン皿における熱交換器よりも外側の位置の矩形の四辺に沿って、前記矩形におけるコーナー部を除いて設けられた、熱交換後の空気のための吹出し口と、前記通気路における前記矩形のコーナー部に対応した部分を塞ぐ塞ぎ部材と、前記塞ぎ部材を貫通した状態で設けられて、前記通気路における塞ぎ板で塞がれたコーナーの部分から前記吹出し口への通風路を形成するためのダクトと、を具備することを特徴とする。
【０００９】
本発明によれば、上記において、ダクトが、塞ぎ部材における上部かつ熱交換器から距離をおいた外側の位置に設けられていることが好適である。
本発明によれば、上記において、ダクトが、吹出し口よりも上側の位置へ向かう通風路を形成可能な横向きの開口と、下向きの分流用開口とを有することが好適である。
【００１０】
本発明によれば、上記において、ダクトと塞ぎ部材との接続部が曲面によって形成されていることが好適である。
本発明によれば、上記において、ダクトが、吹出し口へ向かう熱交換後の空気のための通気路の内部に突出して設けられるとともに、その突出部の断面形状が三角形状に形成され、かつ前記三角形の一辺が、前記吹出し口へ向かう熱交換後の空気の流れを案内する方向に形成されていることが好適である。
【００１１】
本発明によれば、上記において、三角形の一辺が、吹出し口へ向かう熱交換後の空気の流れを案内する曲線を描くように、ダクトの壁部が曲面で形成されていることが好適である。
【００１２】
本発明によれば、上記において、ダクトが長さの異なる複数の小通路に区画されていることが好適である。
本発明によれば、上記において、下向きの分流用開口は、ダクトの壁部に貫通状態で形成されたスリットにて構成されていることが好適である。
【発明の効果】
【００１３】
以上のように本発明によると、通気路における矩形のコーナー部に対応した部分を塞ぐ塞ぎ部材と、この塞ぎ部材を貫通した状態で設けられて、通気路における塞ぎ板で塞がれたコーナーの部分から吹出し口への通風路を形成するためのダクトとを具備するため、コーナーの部分からの空気流を、熱交換器から吹出し口へ向かう空気流への大きな抵抗とならないように導くことが可能となり、このため、吹出し口への通風抵抗を殆ど増大させることなく風量性能を向上させることができるうえに、これによる騒音低減の効果を得ることができる。
【発明を実施するための最良の形態】
【００１４】
以下、本発明の実施の形態について、図面を参照しながら、図１１および図１２において示した部材と同じ部材には同じ参照番号を付して、詳細に説明する。
（実施の形態１）
図１は、本発明の実施の形態１の空気調和機の室内ユニットの分解斜視図である。断熱材３とドレン皿５とは、筐体１に合わせて、平面視で概略矩形状かつ詳細には八角形状に形成されている。２１、２２は、それぞれにおける四隅の斜め方向のコーナー部である。
【００１５】
図１〜図３に示すように、熱交換器４よりも外周側かつ断熱材３よりも内周側の部分には、熱交換器４によって熱交換された空気のための通気路２３が形成されている。そして断熱材３と熱交換器４との間には、通気路２３におけるコーナー部２１、２２に対応した部分２５を塞ぐための塞ぎ板２４が設けられている。そしてこの塞ぎ板２４の中央部には、通気路２３におけるコーナー部２１、２２に対応した部分２５に流れ込んだ空気１１を、室内ユニットの内部において、本来的に吹出し口７から吹出されるべき空気１２の流れの抵抗とならない部分に導くためのダクト２６が設けられている。
【００１６】
詳細には、ダクト２６が、たとえばドレン皿５に形成された空気の吹出し口７における端部の開口縁を外れた位置などに向けて空気１１を導き吹出させるような開口２７を有することで、空気１１の流れは、熱交換器４を通過した後に本来的に吹出し口７から吹出されるべき空気１２の流れの抵抗とはならない。よって、吹出し口７における通風抵抗の増大や局所的な風速の増大による空気１２の流れへの乱れの発生が殆どなく、風量性能が向上する。また、これによる騒音低減の効果を得ることもできる。
（実施の形態２）
図４に示すように、塞ぎ板２４のダクト２６が、この塞ぎ板２４における上部で、しかも図１に示される熱交換器４よりも断熱材３に近い外側の位置に設けられている。また図４において、１２は熱交換器４を水平方向に通過した後に流れの方向を変えて本来的に吹出し口７から下向きに吹出されるべき空気であるが、その一部がダクト２６に衝突している。
【００１７】
このような構成であると、上記のように空気１２の一部がダクト２６に衝突しているが、ダクト２６が上部の外側に設けられていることから、ごく一部のみの衝突にとどまるとともに、ダクト２６の設置位置にもとづきその衝突力は大きなものとはならない。このため、空気１２の流れに対する抵抗を増大させることがないように、コーナー部からダクト２６を通った空気１１の吹出し流を導くことが可能となる。すなわち、吹出し口７における通風抵抗の増大や局所的な風速の増大が殆どなく、風量性能が向上する。また、これによる騒音低減の効果を得ることができる。
（実施の形態３）
図５に示すように、塞ぎ板２４におけるダクト２６よりも下側の位置の部分に、下向きに開口した分流吹出し口２８が形成されている。２９は、分流吹出し口２８から吹出される空気を示す。なお、図５に示す例では、図４に示したものと同様に、ダクト２６は、塞ぎ板２４における上部で、しかも図１に示される熱交換器４よりも断熱材３に近い外側の位置に設けられている。
【００１８】
このような構成によれば、下向きの分流吹出し口２８を設けることにより、ダクト２６よりも下側の位置において下向きに吹出した方が抵抗が少なくなる空気２９についてはその分流吹出し口２８から吹出し、吹出し流が低抵抗となるダクト２６から吹出した方が抵抗が少なくなる空気１１については、吹出し風路内の空気流に対して低抵抗となる空気流を吹出し可能なダクト２６から吹出す。また、これによって、四隅のコーナー部２１、２２からの吹出し流の風量が著しく増加する。したがって、実施の形態１及び２の効果が助長され、低騒音化と風量性能の向上とが図られる。
（実施の形態４）
図６に示すように、塞ぎ板２４とダクト２６との接続部２０が、円弧状の断面を有するなどの曲面によって形成されている。
【００１９】
このような構成であると、図１の熱交換器４からコーナー部２１、２２に対応した部分２５に吐出された空気１１は、塞ぎ板２４とダクト２６との接続部２０が曲面によって形成されていることで、円滑にダクト２６の内部に導かれてその開口２７から吹出される。このため、通風抵抗が増加することを抑制できる。そして、これにより、コーナー部２１、２２に対応した部分２５から吹出す空気１１の風量を著しく増加させることができる。したがって、実施の形態１、２、３の効果が助長され、低騒音化と風量性能の向上とが図られる。
（実施の形態５）
図７に示すように、塞ぎ板２４は矩形状に形成され、ダクト２６は、その通風部断面形状が、塞ぎ板２４の上辺に対応した一辺と、塞ぎ板２４の外側すなわち図１の断熱材３に近い方の側辺に対応した一辺とを二辺とする直角三角形状となるように構成されている。しかも、図示のように、塞ぎ板２４の上辺に対応した一辺よりも、塞ぎ板２４の外側の側辺に対応した一辺の方が長くなるような直角三角形状の断面になるように、ダクト２６の形状が設定されている。３０は、直角三角形の斜辺を形成するためのダクト２６の壁部である。
【００２０】
このような構成であると、ダクト２６によって、このダクト２６から吹出される空気１１の流れが、熱交換器４を通過した後に本来的に吹出し口７から吹出されるべき空気１２の流れの抵抗とはならないようにすることができるのみならず、このダクト２６における直角三角形の斜辺を形成するための壁部３０は、本来的に吹出し口７から吹出されるべき空気１２の流れを案内しやすい方向に形成されることになるため、この空気１２の流れが壁部３０に衝突しにくい。よって、本来的に吹出し口７から吹出されるべき空気１２の流れについての抵抗を増大させることなしに、コーナー部２１、２２に対応した部分２５から吹出される空気１１の流れを導くことが可能となる。したがって、実施の形態１、２、３、４の効果が助長され、低騒音化と風量性能の向上とを図ることができる。
（実施の形態６）
図７のものと同様の構成であるが、図８に示すように、熱交換器４を水平方向に通過した後に流れの方向を変えて本来的に吹出し口７から下向きに吹出されるべき空気１２の流れの方向に対応して、直角三角形の斜辺により形成された壁部３０が、ダクト２６の内部に向けて突出する形状の曲面によって形成されている。
【００２１】
このような構成によれば、直角三角形の斜辺により形成された壁部３０が、空気１２の流れの方向に対応した曲面によって形成されているため、空気１２の流れについての抵抗が増大することなく、コーナー部２１、２２に対応した部分２５から吹出される空気１１の流れを導くことが可能となる。したがって、特に実施の形態５の効果が助長され、低騒音化と風量性能の向上とを図ることができる。
（実施の形態７）
図９に示すように、塞ぎ板２４における上部かつ外側の位置に設けられたダクト２６を任意の数の小通路３１、３２に区画し、たとえば図示のように上下二つの小通路３１、３２に区画して、空気１１が分離して吹出すように構成されている。各小通路３１、３２の通路長さは、任意に設定することができる。ここでは、上側の小通路３１の方が下側の小通路３２よりも通路長さが長くなるように構成されている。
【００２２】
このような構成であると、図１における吹出し口７の開口に向けて任意の吹出し流分布形態で空気１１を吹出すことが可能となるため、抵抗が増大することなしに、コーナー部２１、２２に対応した部分２５からの空気１１をより均一に導くことが可能となる。したがって、実施の形態１〜６の効果が助長され、低騒音化と風量性能の向上とを図ることができる。
（実施の形態８）
図１０に示すように、塞ぎ板２４における上部かつ外側の位置に設けられたダクト２６を構成する下側の壁部３３に任意の数のスリット３４が貫通状態で形成されている。スリット３４の方向も任意であるが、図示のようにダクト２６の通気方向と直交する方向に細長く形成するのが好適である。
【００２３】
このような構成であると、ダクト２６の先端の開口２７から空気１１を横向きに吹出させることができるのみならず、そのスリット３４から空気１１を下向きに吹出させることができるため、これらの空気１１と本来的に吹出し口７から下向きに吹出されるべき空気１２とが、空気１２の流れに対する抵抗を増大させることなく均一に混合した状態で、吹出し口７からの吹出し流となることを実現できる。したがって、実施の形態１〜７の効果が助長され、低騒音化と風量性能の向上とを図ることができる。
【産業上の利用可能性】
【００２４】
本発明の空気調和機の室内ユニットは、コーナーの部分からの空気流を、熱交換器から吹出し口へ向かう空気流への大きな抵抗とならないように導くことが可能となり、このため、吹出し口への通風抵抗を殆ど増大させることなく風量性能を向上させることができるうえに、これによる騒音低減の効果を得ることができるものであって、住宅などの空調に用いる空気調和機の室内ユニットとして好適である。
【図面の簡単な説明】
【００２５】
【図１】本発明の実施の形態１の空気調和機の室内ユニットの分解斜視図
【図２】同空気調和機の室内ユニットの吹出し部付近の拡大底面図
【図３】同空気調和機の室内ユニットの吹出し部付近の拡大斜視図
【図４】本発明の実施の形態２の空気調和機の室内ユニットにおけるダクトの拡大斜視図
【図５】本発明の実施の形態３の空気調和機の室内ユニットにおけるダクトの拡大斜視図
【図６】本発明の実施の形態４の空気調和機の室内ユニットにおけるダクトの拡大斜視図
【図７】本発明の実施の形態５の空気調和機の室内ユニットにおけるダクトの拡大斜視図
【図８】本発明の実施の形態６の空気調和機の室内ユニットにおけるダクトの拡大斜視図
【図９】本発明の実施の形態７の空気調和機の室内ユニットにおけるダクトの拡大斜視図
【図１０】本発明の実施の形態８の空気調和機の室内ユニットにおけるダクトの拡大斜視図
【図１１】従来の空気調和機の室内ユニットの分解斜視図
【図１２】同空気調和機の室内ユニットにおける吹出し部付近の拡大斜視図
【符号の説明】
【００２６】
２    送風機
４    熱交換器
５    ドレン皿
７    吹出し口
２１    コーナー部
２２    コーナー部
２３    通気路
２４    塞ぎ板
２６    ダクト
【図１】
2005249237.tif 000003
【図２】
2005249237.tif 000004
【図３】
2005249237.tif 000005
【図４】
2005249237.tif 000006
【図５】
2005249237.tif 000007
【図６】
2005249237.tif 000008
【図７】
2005249237.tif 000009
【図８】
2005249237.tif 000010
【図９】
2005249237.tif 000011
【図１０】
2005249237.tif 000012
【図１１】
2005249237.tif 000013
【図１２】
2005249237.tif 000014